(57)【要約】【課題】所定の電圧よりも大きな直流電圧成分を含む映像信号が、誤って映像入力端子に入力された場合であっても、終端手段の損傷を防止することができる。【解決手段】本発明に係る映像入力回路１は、映像入力端子５１と、映像入力端子５１からの映像信号を終端する終端手段５２と、映像信号に含まれる直流電圧成分が所定の電圧を超えたか否かを検知する直流電圧検知回路５３とを備え、直流電圧検知回路５３の検知結果に応じて、終端手段５２への通電を停止する。【選択図】図１
2008271377.tif 000002
【特許請求の範囲】
【請求項１】
入力端子と、
前記入力端子からの信号を終端する終端手段と、
前記信号に含まれる直流電圧成分が所定の電圧を超えたか否かを検知する検知手段とを備え、
前記検知手段の検知結果に応じて、前記終端手段への通電を停止する、
入力回路。
【請求項２】
前記終端手段は、
終端抵抗と、
前記終端抵抗に直列接続され、前記検知結果に応じてオン／オフするスイッチング素子とを含む、
請求項１に記載の入力回路。
【請求項３】
前記検知手段において、前記信号に含まれる前記直流電圧成分が前記所定の電圧を超えたと検知した場合に、異常が発生したことを外部に知らせる、
請求項１または請求項２に記載の入力回路。
【請求項４】
前記検知手段において、前記信号に含まれる前記直流電圧成分が前記所定の電圧を超えたと検知した場合に、所定の情報が記録される記録部をさらに備える、
請求項１乃至請求項３のいずれかに記載の入力回路。
【請求項５】
前記所定の情報は、日時情報を含む、
請求項４に記載の入力回路。
【請求項６】
請求項１乃至請求項５のいずれかに記載の入力回路を備え、
前記入力端子は映像入力端子である、
記録再生装置。
【発明の詳細な説明】
【技術分野】
【０００１】
本発明は、カメラもしくはカメラコントローラなどの周辺機器からの信号が入力される入力回路および記録再生装置に関するものである。
【背景技術】
【０００２】
特許文献１には、映像信号に含まれる直流電圧成分の大きさに応じて短絡する短絡回路を搭載したカメラ装置が記載されている。
【０００３】
【特許文献１】特開２００５−２２９２７１号公報
【発明の開示】
【発明が解決しようとする課題】
【０００４】
直流電圧成分を含む映像信号が供給されるシステムにおいて、通常であればカメラの入力端子に接続されるべきケーブル（以下、カメラ電源重畳ケーブル）が、据付時に誤って記録再生装置の映像入力端子に接続される場合がある。この記録再生装置の入力側には、低インピーダンスの終端抵抗からなる終端手段が設けられている。そのため、誤ってカメラ電源重畳ケーブルが記録再生装置の映像入力端子に接続されると、映像の記録ができないばかりか、その接続により発生する熱によって、終端手段が損傷もしくは破壊されてしまい、故障修理の対象となってしまうという問題があった。
【０００５】
本発明は、上記のような問題点を解決するためになされたものであり、所定の電圧よりも大きな直流電圧成分を含む映像信号が、誤って映像入力端子に入力された場合であっても、終端手段の損傷を防止することを目的とする。
【課題を解決するための手段】
【０００６】
請求項１に係る入力回路は、入力端子と、前記入力端子からの信号を終端する終端手段と、前記信号に含まれる直流電圧成分が所定の電圧を超えたか否かを検知する検知手段とを備え、前記検知手段の検知結果に応じて、前記終端手段への通電を停止する。
【発明の効果】
【０００７】
本発明の入力回路によれば、所定の電圧よりも大きな直流電圧成分を含む信号が、誤って入力端子に入力された場合であっても、終端手段の損傷を防止することができる。
【発明を実施するための最良の形態】
【０００８】
＜実施の形態１＞
本実施の形態に係る記録再生装置は映像記録再生装置であるものとする。図１は、その映像記録再生装置の構成を示すブロック図である。図１に示すように、本実施の形態に係る映像記録再生装置は、映像入力回路１と、デコーダ回路７と、ＭＵＸ（multiplexer）回路８と、エンコーダ回路９と、映像出力端子１０と、コーデック回路１１と、ＣＰＵ１２と、メモリー１３と、ＨＤＤ（Hard Disk Drive）インターフェース回路１４と、ＨＤＤ１５と、表示部１６とを備える。
【０００９】
入力回路である映像入力回路１は、映像入力端子５１と、終端手段５２と、直流電圧検知回路５３とを備える。本実施の形態ではさらに、映像入力回路１は、映像入力端子５１に直列接続されたコンデンサー５４を備える。入力端子である映像入力端子５１は、直流電圧成分を含む映像信号が入力される。
【００１０】
終端手段５２は、映像入力端子５１から出力される映像信号を終端する。検知手段である直流電圧検知回路５３は、映像信号に含まれる直流電圧成分が所定の電圧を越えたか否かを検知する。直流電圧検知回路５３は、その検知結果をＣＰＵ１２、および、終端手段５２に出力する。これら終端手段５２と、直流電圧検知回路５３の詳細については後述する。コンデンサー５４は、映像入力端子５１からの映像信号に含まれる直流電圧成分をカットし、カット後の映像信号をデコーダ回路７に出力する。
【００１１】
デコーダ回路７は、映像入力回路１から出力される映像信号をＡ−Ｄ変換する。ＭＵＸ回路８は、入力された信号をスイッチャー制御する回路であり、その制御は、ＣＰＵ１２によって行われる。ＭＵＸ回路８は、ＣＰＵ１２からの制御により、デコーダ回路７からの映像信号をコーデック回路１１に出力する。なお、ＭＵＸ回路８は、入力された映像信号に文字情報を重畳させることもできる。これにより、モニター画面において文字を追加した表示を行うことができる。
【００１２】
コーデック回路１１は、ＭＵＸ回路８を介して、デコーダ回路７から出力される映像信号を圧縮し、圧縮後の映像信号をメモリー１３に一時的に格納する。メモリー１３に一時的に格納された映像信号は、ＨＤＤインターフェース回路１４を介してＨＤＤ１５に出力され、ＨＤＤ１５に書き込まれる。ＣＰＵ１２は、これらコーデック回路１１、および、メモリー１３、および、ＨＤＤインターフェース回路１４と接続されており、これらが上述の動作を行うように制御する。
【００１３】
ＣＰＵ１２は、直流電圧検知回路５３において、映像信号に含まれる直流電圧成分が所定の電圧を超えたと検知した場合に、表示部１６における表示により、異常が発生したことを外部、例えば、ユーザに知らせる。本実施の形態では、表示部１６は、ＣＰＵ１２からの制御により、図２に示すように、「カメラ入力端子（１）に異常発生」と表示画面に表示する。この表示部１６には、例えば、ＬＥＤ表示装置や、液晶表示装置などが該当する。
【００１４】
図３は、映像入力回路１の構成の一例を示す図である。映像入力回路１は、上述したように、映像入力端子５１と、破線で示される終端手段５２と、破線で示される直流電圧検知回路５３と、コンデンサー５４とを備える。
【００１５】
終端手段５２は、本実施の形態では、終端抵抗５９と、スイッチング素子である終端制御トランジスター６０とを含む。終端抵抗５９は、映像入力端子５１に入力された映像信号を終端する。終端抵抗５９のインピーダンスが、例えば、７５Ωである場合、終端抵抗５９は、映像入力端子５１に入力された映像信号を、１．０Vp-pに終端する。終端制御トランジスター６０の詳細については後述する。
【００１６】
検知手段である直流電圧検知回路５３は、上述したように、映像信号に含まれる直流電圧成分が所定の電圧を超えたか否かを検知する。直流電圧検知回路５３は、本実施の形態では、バッファトランジスター５５と、抵抗５６，５７、コンデンサー６１からなるフィルター回路と、電圧判定トランジスター５８とを備える。この構成からなる直流電圧検知回路５３が、上述した機能を行う動作について説明する。
【００１７】
映像入力端子５１から出力される映像信号のうち、直流電圧成分は、バッファトランジスター５５を通過する。そして、その直流電圧成分は、抵抗５６の抵抗値Ｒ１と、抵抗５７の抵抗値Ｒ２の比を乗じた電圧Ｖｒに変換された後、コンデンサー６１でフィルタリングされて、電圧判定トランジスター５８のベースに印加される。
【００１８】
この抵抗値Ｒ１と抵抗値Ｒ２の比は、所定の電圧以下の直流電圧成分が、映像入力端子５１に入力された場合に、電圧Ｖｒが、電圧判定トランジスター５８の閾値電圧Ｖｂｅを超えないように設定されているものとする。ここで、所定の電圧は、例えば、映像記録再生装置において通常時に使用される直流電圧が該当する。
【００１９】
換言すれば、抵抗値Ｒ１と抵抗値Ｒ２の比は、所定の電圧を超える直流電圧成分が、映像入力端子５１に入力された場合に、電圧Ｖｒが、電圧判定トランジスター５８の閾値電圧Ｖｂｅを超えるように設定されているものとする。なお、本実施の形態では、所定の電圧を超える直流電圧成分は、ＤＣ１２Ｖであるものとする。
【００２０】
ベースに印加される電圧Ｖｒが電圧判定トランジスター５８の閾値電圧Ｖｂｅを超えない場合、電圧判定トランジスター５８は、コレクタ側の電圧Ｖｃを接地から電気的に切離す。そのため、コレクタ側の電圧Ｖｃは”Ｈ”となる。
【００２１】
一方、カメラ電源重畳ケーブルが接続されて、上述したＤＣ１２Ｖが映像入力端子５１に入力された場合には、ベースに印加される電圧Ｖｒが、電圧判定トランジスター５８の閾値電圧Ｖｂｅを超える。この場合、電圧判定トランジスター５８は、コレクタ側の電圧Ｖｃを接地する。そのため、コレクタ側の電圧Ｖｃは”Ｌ”となる。
【００２２】
こうして、直流電圧検知回路５３は、映像信号に含まれる直流電圧成分が所定の電圧を超えたか否かを検知する。その検知結果は、コレクタ側の電圧Ｖｃの”Ｌ”／”Ｈ”として、ＣＰＵ１２、および、終端制御トランジスター６０のベースに伝えられる。
【００２３】
上述したように、終端手段５２は、終端抵抗５９と、スイッチング素子である終端制御トランジスター６０とを含む。この終端制御トランジスター６０は、終端抵抗５９に直列に接続され、直流電圧検知回路５３の検知結果に応じてオン／オフする。
【００２４】
本実施の形態では、直流電圧検知回路５３において、映像信号に含まれる直流電圧成分が所定の電圧を超えないと検知した場合、つまり、終端制御トランジスター６０のベースに印加される電圧Ｖｃが”Ｈ”となる場合には、終端制御トランジスター６０はオンとなり、終端抵抗５９を接地する。
【００２５】
一方、直流電圧検知回路５３において、映像信号に含まれる直流電圧成分が所定の電圧を超えたと検知した場合、つまり、終端制御トランジスター６０のベースに印加される電圧Ｖｃが”Ｌ”となる場合には、終端制御トランジスター６０はオフとなり、終端抵抗５９を接地から電気的に切離す。
【００２６】
このようにして、映像入力回路１は、直流電圧検知回路５３の検知結果に応じて、終端手段５２への通電を停止する。
【００２７】
以上のような本実施の形態に係る映像記録再生装置によれば、直流電圧検知回路５３が、映像信号に含まれる直流電圧成分が所定の電圧を超えたと検知した場合には、映像入力回路１は、終端手段５２への通電を停止する。このため、所定の電圧よりも大きな直流電圧成分を含む映像信号が、誤って映像入力端子５１に入力された場合であっても、終端手段５２の損傷を防止することができる。
【００２８】
また、直流電圧検知回路５３が、映像信号に含まれる直流電圧成分が所定の電圧を超えたと検知した場合に、表示部１６は、エラー警告の表示によって異常が発生していることを外部、例えば、ユーザに知らせる。これにより、ユーザは、速やかにその異常を取り除く操作に移ることができる。
【００２９】
なお、本実施の形態では、回路的に終端抵抗５９を接地から切離して、終端手段５２への通電を停止する構成とした。しかし、これに限ったものではなく、映像信号に含まれる直流電圧成分が所定の電圧を超えた場合に、終端抵抗５９の両端をショートして、終端手段５２への通電を停止する構成としてもよい。
【００３０】
また、本実施の形態では、１チャンネルの映像入力端子５１の場合について示した。しかし、これに限ったものではなく、複数チャンネルの映像入力端子５１であってもよい。また、本実施の形態では、記録再生装置は、映像信号が入力される映像記録再生装置として説明した。しかし、これに限ったものではなく、音声信号が入力される音声記録再生装置であっても同様の効果を得ることができる。
【００３１】
また、本実施の形態では、映像信号に含まれる直流電圧成分に抵抗値Ｒ１と、抵抗値Ｒ２との比を乗じた電圧Ｖｒが、電圧判定トランジスター５８の閾値電圧Ｖｂｅを超えたか否かを検知する直流電圧検知回路５３の構成を示した。しかし、直流電圧成分が検知可能であればこの構成に限ったものではなく、例えば、抵抗５６，５７の代わりにツェナーダイオードを用いてもよく、あるいは、電圧判定トランジスター５８の代わりにオペアンプを用いてもよい。
【００３２】
さらに、本実施の形態では、ＣＰＵ１２の制御により、表示部１６は、図２のような文字によるエラー警告を表示した。しかし、これに限ったものではなく、視認がより容易な表示や、グラフィック表示によって、異常が発生したことを外部に知らせるようにしてもよい。
【００３３】
＜実施の形態２＞
図４は、本実施の形態に係る映像記録再生装置の映像入力回路１の構成を示す図である。この図に示すように、本実施の形態の映像入力回路１は、ＬＥＤ（Light Emitting Diode）７０を備えている点で実施の形態１と異なる。さらに、本実施の形態に係る映像入力回路１は、直流電圧検知回路５３の検知結果、つまり、電圧判定トランジスター５８のコレクタ側の電圧Ｖｃが、ＣＰＵ１２へ伝えられない点で、実施の形態１と異なる。以下、新たに説明しないものについては、実施の形態１と同様であり、同一符号を付すものとする。
【００３４】
本実施の形態では、直流電圧検知回路５３において、映像信号に含まれる直流電圧成分が所定の電圧を超えたと検知した場合に、ＬＥＤ７０が点灯表示することにより、異常が発生したことを外部、例えば、ユーザに知らせる。なお、ＬＥＤ７０は、図５に示すように、映像入力端子５１が設けられた付近に設けられているものとする。
【００３５】
このように構成された本実施の形態に係る映像記録再生装置の動作を、図４を用いて説明する。ここでは、実施の形態１の例と同様に、所定の電圧を超えた直流電圧成分は、ＤＣ１２Ｖであるものとし、このＤＣ１２Ｖが、映像入力端子５１に入力された場合について説明する。
【００３６】
まず、映像入力端子５１から出力される映像信号のうち、直流電圧成分は、バッファトランジスター５５を通過する。そして、その直流電圧成分は、抵抗５６の抵抗値Ｒ１と、抵抗５７の抵抗値Ｒ２との比を乗じた電圧Ｖｒに変換された後、コンデンサー６１でフィルタリングされて、電圧判定トランジスター５８のベースに印加される。ＤＣ１２Ｖが映像入力端子５１に入力された場合には、ベースに印加される電圧Ｖｒが、電圧判定トランジスター５８の閾値電圧Ｖｂｅを越える。
【００３７】
この場合、電圧判定トランジスター５８は、コレクタ側の電圧Ｖｃを接地するため、コレクタ側の電圧Ｖｃは”Ｌ”となる。直流電圧検知回路５３において、映像信号に含まれる直流電圧成分が所定の電圧を超えたと検知した場合、つまり、終端制御トランジスター６０のベースに印加される電圧Ｖｃが”Ｌ”となる場合には、終端制御トランジスター６０はオフとなり、終端抵抗５９を接地から電気的に切離す。本実施の形態では、それとともに、ＬＥＤ７０に駆動電流が供給されるため、ＬＥＤ７０は点灯表示する。
【００３８】
このようにして、映像入力回路１は、直流電圧検知回路５３の検知結果に応じて、終端手段５２への通電を停止する。
【００３９】
以上のような本実施の形態に係る映像記録再生装置によれば、直流電圧検知回路５３が、映像信号に含まれる直流電圧成分が所定の電圧を超えたと検知した場合に、映像入力回路１は、終端手段５２への通電を停止する。このため、実施の形態１と同様、所定の電圧よりも大きな直流電圧成分を含む映像信号が、誤って映像入力端子５１に入力された場合であっても、終端手段５２の損傷を防止することができる。
【００４０】
また、直流電圧検知回路５３が、映像信号に含まれる直流電圧成分が所定の電圧を超えたと検知した場合に、ＬＥＤ７０は、点灯表示によって異常が発生していることを外部、例えば、ユーザに知らせる。これにより、ユーザは、速やかにその異常を取り除く操作に移ることができる。
【００４１】
また、ＬＥＤ７０は、ＣＰＵ１２を介さずに、直流電圧検知回路５３の検知結果に応じて、点灯／消滅表示する。そのため、実施の形態１で示した表示部１６を用いたり、表示部１６を制御するためのソフトウエア開発が不要となる。このようにして、本実施の形態では、実施の形態１よりも容易で安価な構成によって、実施の形態１と同様の効果を得ることができる。
【００４２】
なお、本実施の形態では、ＬＥＤ７０を用いた。しかし、ＣＰＵ１２を介さずに異常が発生したことを外部に知らせるものであればこれに限ったものではなく、例えば、ブザーやミニ電球であってもよい。
【００４３】
＜実施の形態３＞
図６は、本実施の形態に係る映像記録再生装置の映像入力回路１の構成を示す図である。以下、新たに説明しないものについては、実施の形態１と同様であり、同一符号を付すものとする。
【００４４】
本実施の形態では、図６に示すように、直流電圧検知回路５３の検知結果、つまり、電圧判定トランジスター５８のコレクタ側の電圧ＶｃがＣＰＵ１２へ伝えられる点で実施の形態１と同じである。また、本実施の形態の映像入力回路１は、ＬＥＤ７０を備えている点で、実施の形態１と異なるが、実施の形態２と同じである。
【００４５】
図７は、本実施の形態に係る映像記録再生装置の構成を示すブロック図である。図７に示すように、本実施の形態に係る映像記録再生装置は、図１に示した映像記録再生装置のうち、表示部１６の代わりに記録部１７がＣＰＵ１２に接続されている点で、上述した実施の形態と異なる。記録部１７は、直流電圧検知回路５３において、映像信号に含まれる直流電圧成分が所定の電圧を超えたと検知した場合に、所定の情報が記録される。本実施の形態では、所定の情報は、日時情報であるものとする。
【００４６】
この記録部１７には、例えば、不揮発性メモリーが該当する。この記録部１７は、ＣＰＵ１２の制御により、上述した動作を行う。本実施の形態に係る映像記録再生装置は、日時情報が記録部１７に記録された場合には、例えば、図８に示すように、記録された日時情報を表示可能であるものとする。ここでは、「２００６−４−１」と表示することにより、２００６年４月１日に、直流電圧成分が所定の電圧を超えたと検知した場合が示されている。
【００４７】
このように構成された本実施の形態に係る映像記録再生装置の動作を、図６および図７を用いて説明する。ここでは、実施の形態１の例と同様に、所定の電圧を超えた直流電圧成分は、ＤＣ１２Ｖであるものとし、このＤＣ１２Ｖが、映像入力端子５１に入力された場合について説明する。
【００４８】
まず、映像入力端子５１から出力される映像信号のうち、直流電圧成分は、バッファトランジスター５５を通過する。そして、その直流電圧成分は、抵抗５６の抵抗値Ｒ１と、抵抗５７の抵抗値Ｒ２との比を乗じた電圧Ｖｒに変換された後、コンデンサー６１でフィルタリングされて、電圧判定トランジスター５８のベースに印加される。ＤＣ１２Ｖが映像入力端子５１に入力された場合には、ベースに印加される電圧Ｖｒが、電圧判定トランジスター５８の閾値電圧Ｖｂｅを越える。
【００４９】
この場合、電圧判定トランジスター５８は、コレクタ側の電圧Ｖｃを接地するため、コレクタ側の電圧Ｖｃは”Ｌ”となる。直流電圧検知回路５３において、映像信号に含まれる直流電圧成分が所定の電圧を超えたと検知した場合、つまり、終端制御トランジスター６０のベースに印加される電圧Ｖｃが”Ｌ”となる場合には、終端制御トランジスター６０はオフとなり、終端抵抗５９を接地から電気的に切離す。それとともに、ＬＥＤ７０に駆動電流が供給されるため、ＬＥＤ７０は点灯表示する。さらに、本実施の形態では、直流電圧検知回路５３において、映像信号に含まれる直流電圧成分が所定の電圧を超えたと検知した場合、つまり、終端制御トランジスター６０のベースに印加される電圧Ｖｃが”Ｌ”となる場合には、その電圧Ｖｃを受けたＣＰＵ１２は、記録部１７に日時情報を記録する制御を行う。
【００５０】
このようにして、映像入力回路１は、直流電圧検知回路５３の検知結果に応じて、終端手段５２への通電を停止する。
【００５１】
以上のような本実施の形態に係る映像記録再生装置によれば、直流電圧検知回路５３が、映像信号に含まれる直流電圧成分が所定の電圧を超えたと検知した場合に、映像入力回路１は、終端手段５２への通電を停止する。このため、実施の形態１と同様、所定の電圧よりも大きな直流電圧成分を含む映像信号が、誤って映像入力端子５１に入力された場合であっても、終端手段５２の損傷を防止することができる。
【００５２】
また、直流電圧検知回路５３が、映像信号に含まれる直流電圧成分が所定の電圧を超えたと検知した場合に、ＬＥＤ７０は、点灯表示によって異常が発生していることを外部、例えば、ユーザに知らせる。これにより、ユーザは、速やかにその異常を取り除く操作に移ることができる。
【００５３】
また、ＬＥＤ７０の点灯表示のみ行う場合には、異常が発生したことを確認することができるが、点灯表示したタイミングに気づかない場合もある。本実施の形態に係る記録再生装置によれば、記録部１７に異常が発生した日時情報を記録するため、異常がいつ発生したかを確実に知ることができる。
【００５４】
なお、本実施の形態では、ＬＥＤ７０の点灯表示によって、異常が発生したことを外部に知らせるものとした。しかし、これに限ったものではなく、通信ラインを介して外部に知らせるものとしてもよく、さらに別の方法で遠隔地へ異常を外部に知らせるものとしてもよい。なお、日時情報についての表示内容や表示方法は、図８に示したものに限ったものではない。また、本実施の形態では、記録部１７は、ＣＰＵ１２と接続する不揮発性メモリとして、ＨＤＤ１５と別個のものであるとしたが、これに限ったものではなく、記録部１７は、ＨＤＤ１５であってもよい。
【図面の簡単な説明】
【００５５】
【図１】実施の形態１に係る映像記録再生装置の構成を示すブロック図である。
【図２】実施の形態１に係る映像記録再生装置の構成を示す図である。
【図３】実施の形態１に係る映像記録再生装置の構成を示す図である。
【図４】実施の形態２に係る映像記録再生装置の構成を示す図である。
【図５】実施の形態２に係る映像記録再生装置の構成を示す図である。
【図６】実施の形態３に係る映像記録再生装置の構成を示す図である。
【図７】実施の形態３に係る映像記録再生装置の構成を示すブロック図である。
【図８】実施の形態３に係る映像記録再生装置の構成を示す図である。
【符号の説明】
【００５６】
１  映像入力回路、７  デコーダ回路、８  ＭＵＸ回路、９  エンコーダ回路、１０  映像出力回路、１１  コーデック回路、１２  ＣＰＵ、１３  メモリー、１４  ＨＤＤインターフェース回路、１５  ＨＤＤ、１６  表示部、１７  記録部、５１  映像入力端子、５２  終端手段、５３  直流電圧検知回路、５４，６１  コンデンサー、５５  バッファトランジスター、５６，５７  抵抗、５８  電圧判定トランジスター、５９  終端抵抗、６０  終端制御トランジスター、７０  ＬＥＤ。
【図１】
2008271377.tif 000003
【図２】
2008271377.tif 000004
【図３】
2008271377.tif 000005
【図４】
2008271377.tif 000006
【図５】
2008271377.tif 000007
【図６】
2008271377.tif 000008
【図７】
2008271377.tif 000009
【図８】
2008271377.tif 000010